(57)【特許請求の範囲】
【請求項１】
１２本のフレーム部材の端部が結合されて構成された直方体形状のフレーム構造基体において、このフレーム構造基体が着底状態において上側となる対向するフレーム部材にＸＹ駆動機構を構成して、このＸＹ駆動機構により、送波器と受波器とから成る音響計測部を、前記フレーム構造基体の空間内において、このフレーム構造基体が着底した状態における水底面の拡がり方向に対応するＸＹ方向に移動可能とし、前記音響計測部は前記ＸＹ方向と直交するＺ方向の下向きに鋭指向性を形成するものとし、前記フレーム構造基体を重量により水底面に着底させた状態において、音響計測部をＸＹ方向に走査して音響反射信号のデータにより水底面下の堆積層の情報を収集することを特徴とする水底面下の堆積層の音響による情報収集方法。
【請求項２】
音響計測部は、送波器と、その周囲に環状に配置した複数の受波器とからビームフォーミングにより鋭指向性を形成することを特徴とする請求項１に記載の水底面下の堆積層の音響による情報収集方法。
【請求項３】
音響計測部をＸＹ方向に走査して収集した音響反射信号のデータを処理して、Ｚ方向の多数位置におけるＣモード平面画像を構築し、構築された多数のＣモード平面画像を積み上げて３次元音響画像を構築することを特徴とする請求項１又は２に記載の水底下の堆積層の音響による情報収集方法。
【請求項４】
構築された３次元音響画像をアルファブレンド処理して表示することを特徴とする請求項３に記載の水底下の堆積層の音響による情報収集方法。
【請求項５】
ＸＹ駆動機構は、フレーム構造基体の、着底状態において上側となる対向するフレーム部材間に音響計測部を移動可能に支持する移動フレーム部材を架設し、この移動フレーム部材を、前記対向するフレーム部材に沿って移動可能とした構成であることを特徴とする請求項１〜４のいずれか１項に記載の水底面下の堆積層の音響による情報収集方法。
【請求項６】
音響計測部をＺ方向に移動可能に支持する構成としたことを特徴とする請求項１〜５のいずれか１項に記載の水底面下の堆積層の音響による情報収集方法。
【請求項７】
１２本のフレーム部材の端部が結合されて構成された直方体形状のフレーム構造基体と、送波器と受波器とから成る音響計測部と、前記フレーム構造基体が着底状態において上側となる対向するフレーム部材に形成されたガイドレール部により、対向するフレーム部材間に架設した移動フレーム部材をＸ方向に駆動するＸ方向直動機構を構成すると共に、この移動フレーム部材に沿って形成されたガイドレール部により、前記音響計測部の支持部材を前記Ｘ方向と直交するＹ方向に駆動するＹ方向直動機構を構成して、これらのＸ方向直動機構とＹ方向直動機構により、前記音響計測部をフレーム構造基体が着底した状態における水底面の広がり方向に対応するＸＹ方向に移動可能に支持するＸＹ駆動機構と、このＸＹ駆動機構と前記音響計測部を制御すると共に、音響計測部により音響反射信号のデータを収集する制御手段を備え、前記音響計測部は、その指向性を前記ＸＹ方向と直交するＺ方向の下向きに形成していることを特徴とする水底面下の堆積層の音響による情報収集装置。
【請求項８】
収集された音響反射信号のデータから３次元音響画像を構築する画像構築手段を備え、この画像構築手段には、収集された音響反射信号のデータを処理して、Ｚ方向の多数位置におけるＣモード平面画像を構築する手段と、構築された多数のＣモード平面画像を積み上げて３次元音響画像を構築する手段とを備えていることを特徴とする請求項７に記載の水底下の堆積層の音響による情報収集装置。
【請求項９】
画像構築手段には、構築された３次元音響画像をアルファブレンド処理して表示する手段を備えていることを特徴とする請求項８に記載の水底下の堆積層の音響による情報収集装置。
【請求項１０】
音響計測部は、送波器と、その周囲に環状に配置した複数の受波器とから構成され、制御装置により収集された複数の受波器の音響反射信号のデータからビームフォーミングにより鋭指向性を形成する処理を行う構成としたことを特徴とする請求項７又は８に記載の水底面下の堆積層の音響による情報収集装置。
【請求項１１】
支持部材は、音響計測部から突設した支持杆体をＺ方向に支持する構成としたことを特徴とする請求項７〜９のいずれか１項に記載の水底面下の堆積層の音響による情報収集装置。
【請求項１２】
支持部材には、支持杆体をＺ方向に移動させる駆動機構を設けたことを特徴とする請求項１１に記載の水底面下の堆積層の音響による情報収集装置。
【発明の詳細な説明】
【技術分野】
【０００１】
本発明は、海底、湖沼底、人工構造物等の水底面下の堆積層の情報を音響により収集する方法及び装置に関する。
【背景技術】
【０００２】
近年、海底、湖沼底、人工構造物等の水底面下の堆積層内の空間的な情報を、柱状コアリング等の破壊性の方法に依らず、非破壊で詳細に把握したいという要望が増えており、その対象は、浮泥、軟泥の厚み、水生植物、根菜等の生育状況、底生生物の分布、深度方向の地質変化、沈没船や兵器等の埋没物体の形状計測等、多岐に渡っている。
【０００３】
ところで、水底面下の堆積層内の情報を非破壊で収集するものとしては、従来から、音波を利用した各種方式のソナーが広く知られている。
【０００４】
例えば特許文献１には、海中を航行する自立型無人潜水機（ＡＵＶ）等の移動体に超音波の送受波器を支持した構成において、潮流等の外乱による移動体の動揺に対しての修正を行う合成開口ソナーが記載されている。
【０００５】
また、特許文献２には、水中又は水上を航行する移動体に支持した音波の送信部と受信部により、水底面からの反射音波を逐次受信して、水中の情報を可視化し、探知した機雷が沈底機雷か埋没機雷かを判別する技術を備えた水中音波撮像装置が記載されている。
【先行技術文献】
【特許文献】
【０００６】
【特許文献１】特許第５４９７３０２号公報
【特許文献２】特許第５４７０１４６号公報
【発明の概要】
【発明が解決しようとする課題】
【０００７】
上述したように、従来のソナー等の音響を用いた装置は、送受波器を船舶、ＲＯＶ、ＡＵＶ等の水上又は水中の移動体に支持して対象物体の検出を行うものであり、移動体が、潮流や波浪又は風等の影響を受けて動揺するため、高精度の検出を行うことは困難である。このため、検出対象範囲は広いものの、検出可能な対象物体は、例えば特許文献２に記載されているような機雷等の比較的大きな物体に限られてしまう。また、計測時の気象条件によってデータの品質が変化するため、繰り返し計測によるデータの再現性は低い。このため、検出対象の経時的な変化をモニタリングすることは困難である。
【０００８】
このため、水底面下の堆積層内における根菜や貝類等の底生生物のように、比較的小さな対象物体（例えば蓮根では直径２−５ｃｍ）の情報収集はもちろんのこと、それらの経時的な変化をモニタリングするために音響を利用しようという動機は、従来は全く生じ得なかった。
【０００９】
これに対して、本発明者は、鋭意研究の結果、音響を合理的に利用して水底面下の堆積層の情報を収集することにより、比較的小さな物体を含め堆積層の情報を非破壊で、しかも高分解能、高い再現性で計測可能な方法及び装置を想到したものであり、これによって従来の課題を解決することを目的とするものである。
【課題を解決するための手段】
【００１０】
即ち、本発明では、前記課題を解決するために、１２本のフレーム部材の端部が結合されて構成された直方体形状のフレーム構造基体において、このフレーム構造基体が着底状態において上側となる対向するフレーム部材にＸＹ駆動機構を構成して、このＸＹ駆動機構により、送波器と受波器とから成る音響計測部を、前記フレーム構造基体の空間内において、このフレーム構造基体が着底した状態における水底面の拡がり方向に対応するＸＹ方向に移動可能とし、前記音響計測部は前記ＸＹ方向と直交するＺ方向の下向きに鋭指向性を形成するものとし、前記フレーム構造基体を重量により水底面に着底させた状態において、音響計測部をＸＹ方向に走査して音響反射信号のデータにより水底面下の堆積層の情報を収集することを特徴とする水底面下の堆積層の音響による情報収集方法を提案する。
【００１１】
また本発明では、前記方法において、音響計測部は、送波器と、その周囲に環状に配置した複数の受波器とからビームフォーミングにより鋭指向性を形成することを提案する。
【００１２】
また本発明では、前記方法において、音響計測部をＸＹ方向に走査して収集した音響反射信号のデータを処理して、Ｚ方向の多数位置におけるＣモード平面画像を構築し、構築された多数のＣモード平面画像を積み上げて３次元音響画像を構築することを提案する。そして更に、この方法において、構築された３次元音響画像をアルファブレンド処理して表示することを提案する。
【００１３】
また本発明では、前記方法において、ＸＹ駆動機構は、フレーム構造基体の、着底状態において上側となる対向するフレーム部材間に音響計測部を移動可能に支持する移動フレーム部材を架設し、この移動フレーム部材を、前記対向するフレーム部材に沿って移動可能とした構成である水底面下の堆積層の音響による情報収集方法を提案する。
【００１４】
また本発明では、前記方法において、音響計測部をＺ方向に移動可能に支持する構成とした水底面下の堆積層の音響による情報収集方法を提案する。
【００１５】
また本発明では、１２本のフレーム部材の端部が結合されて構成された直方体形状のフレーム構造基体と、送波器と受波器とから成る音響計測部と、前記フレーム構造基体が着底状態において上側となる対向するフレーム部材に形成されたガイドレール部により、対向するフレーム部材間に架設した移動フレーム部材をＸ方向に駆動するＸ方向直動機構を構成すると共に、この移動フレーム部材に沿って形成されたガイドレール部により、前記音響計測部の支持部材を前記Ｘ方向と直交するＹ方向に駆動するＹ方向直動機構を構成して、これらのＸ方向直動機構とＹ方向直動機構により、前記音響計測部をフレーム構造基体が着底した状態における水底面の広がり方向に対応するＸＹ方向に移動可能に支持するＸＹ駆動機構と、このＸＹ駆動機構と前記音響計測部を制御すると共に、音響計測部により音響反射信号のデータを収集する制御手段を備え、前記音響計測部は、その指向性を前記ＸＹ方向と直交するＺ方向の下向きに形成していることを特徴とする水底面下の堆積層の音響による情報収集装置を提案する。
【００１６】
また本発明では、前記装置において、収集された音響反射信号のデータから３次元音響画像を構築する画像構築手段を備え、この画像構築手段には、収集された音響反射信号のデータを処理して、Ｚ方向の多数位置におけるＣモード平面画像を構築する手段と、構築された多数のＣモード平面画像を積み上げて３次元音響画像を構築する手段とを備えた水底下の堆積層の音響による情報収集装置を提案する。
【００１７】
また本発明では、前記装置において、画像構築手段には、構築された３次元音響画像をアルファブレンド処理して表示する手段を備えた水底下の堆積層の音響による情報収集装置を提案する。
【００１８】
また本発明では、前記装置において、音響計測部は、送波器と、その周囲に環状に配置した複数の受波器とから構成され、制御装置により収集された複数の受波器の音響反射信号のデータからビームフォーミングにより鋭指向性を形成する処理を行う構成とした水底下の堆積層の音響による情報収集装置を提案する。
【００１９】
また本発明では、前記装置において、前記支持部材は、音響計測部から突設した支持杆体をＺ方向に支持する構成とした水底面下の堆積層の音響による情報収集装置を提案する。
【００２０】
また本発明では、前記装置において、支持部材には、支持杆体をＺ方向に移動させる駆動機構を設けた水底面下の堆積層の音響による情報収集装置を提案する。
【発明の効果】
【００２１】
以上の構成において、本発明に係る方法及び装置では、フレーム構造基体を重量により水底面に着底させた状態において、音響計測部をＸＹ駆動機構によりＸＹ方向に走査して音響反射信号のデータを収集し、こうして水底面下の堆積層の情報を収集する。
【００２２】
収集した情報は、従来のソナー等と同様に、ディスプレイ上で適宜の形式、例えば３次元画像、断層画像等として可視化することができる。
【００２３】
音響計測部をＸＹ駆動機構によりＸＹ方向に走査して音響による情報を収集する際、音響計測部を支持するフレーム構造基体は、重量により水底面に着底させていることと、フレーム構造であるため水流や波の影響を受け難く、安定した静止状態が維持されるため、音響計測部はフレーム構造基体による外乱の影響は全く受けない。このため、繰り返し計測によるデータの再現性が高く、検出対象の経時的な変化をモニタリングすることも容易である。
【００２４】
そしてＸＹ駆動機構自体は非常に高い位置決め精度を容易に得ることができることから、音響計測部のＸＹ方向の走査を非常に高精度で行うことができる。
【００２５】
更に、音響計測部は前記ＸＹ方向と直交するＺ方向の下向きに鋭指向性を形成しているため、前記ＸＹ方向の走査の高精度と相俟って、非常に高分解能で情報を収集することができる。
【００２６】
音響計測部は、Ｚ方向の位置を、予め設定した位置に固定する構成としても良いが、Ｚ方向に移動可能とすれば、その位置を移動して計測を行うことができ、適切な位置を計測時に設定するようにすることもできる。
【００２７】
音響計測部は、送波器と、その周囲に環状に配置した複数の受波器とからビームフォーミングにより鋭指向性を形成することにより、ビーム幅を全周に渡って平均的に小さくすることができ、これにより更に高分解能化を図ることができる。
【００２８】
フレーム構造基体を直方体状に構成し、そしてＸＹ駆動機構は、フレーム構造基体が着底状態において上側となる対向するフレーム部材にガイドレール部を形成し、このガイドレール部により前記対向するフレーム部材間に架設した移動フレーム部材を駆動するＸ方向直動機構と、移動フレーム部材に形成したガイドレール部により音響計測部の支持部材を駆動するＹ方向直動機構とから構成することにより、必要最小限のフレーム構造によりフレーム構造基体及びＸＹ駆動機構を構成することができ、上述したように、水流や波の影響を受け難い構成を実現することができる。
【００２９】
そして、このような構成の場合、音響計測部の支持部材は、音響計測部から突設した支持杆体をＺ方向に支持する構成とすることができ、更に、支持杆体をＺ方向に移動させる駆動機構を設けることにより、音響計測部のＺ方向の位置を変更した計測を行うことが可能となる。
【００３０】
上述の、収集した情報の可視化においては、音響計測部をＸＹ方向に走査して収集した音響反射信号のデータを処理して、Ｚ方向の多数位置におけるＣモード平面画像を構築し、そして構築された多数のＣモード平面画像を積み上げて３次元音響画像を構築することができ、構築された３次元音響画像をアルファブレンド処理して表示すること等により、非常に視認性の良い画像を構築することができる。
【図面の簡単な説明】
【００３１】
【図１】図１は本発明に係る情報収集装置の主要要素を模式的に示す斜視図である。
【図２】図２は本発明に係る情報収集装置の主要要素を模式的に示す側面図である。
【図３】図３は本発明に係る情報収集装置の主要要素を模式的に示す平面図である。
【図４】図４は本発明に係る音響計測部の底面図である。
【図５】図５は図４の音響計測部の構成において、ビームフォーミングを行った後のビームパターンを計算によって求めた結果を示すもので、（ａ）は送波器から２０ｃｍ離れた平面位置の計算値、(ｂ)は送波器から１ｍ離れた平面位置における送受波器の総合的な指向性(送波器と受波器の指向性の積)の計算値を示すものである。
【図６】図６は本発明に係る音響計測部においてビームフォーミングを行った後のビームパターンを示すもので、(ａ)は音響計測部の送波器と受波器の配置、(ｂ)はＺ方向から見たビームパターンを示すものである。
【図７】図７は音響計測部において１つの送波器と受波器によるビームパターンを示すもので、(ａ)は音響計測部の送波器と受波器の配置、(ｂ)はＺ方向から見たビームパターンを示すものである。
【図８】図８は音響計測部において１つの送波器と、その外側に配置した２つの受波器によるビームパターンを示すもので、(ａ)は音響計測部の送波器と受波器の配置、(ｂ)はＺ方向から見たビームパターンを示すものである。
【図９】図９は本発明に係るＸＹ駆動機構と音響計測部の制御構成を示す説明図である。
【図１０】図１０は本発明に係る方法及び装置により収集した水底面下の堆積層の情報をディスプレイに表示する処理の一例を示す流れ図である。
【図１１】図１１は本発明に係る方法及び装置により収集した水底面下の堆積層の情報をディスプレイに表示した３次元画像の一例を示すものである。
【発明を実施するための形態】
【００３２】
以下、本発明の実施の形態について詳細に説明する。
【００３３】
まず本発明に係るフレーム構造基体と音響計測部をＸＹ方向に移動するＸＹ駆動機構の例を図１〜図３につき説明する。
符号１は本発明に係るフレーム構造基体であり、図１〜図３はフレーム構造基体１を水底面に着底させた状態に相当する。このフレーム構造基体１は、複数のフレーム部材２、この例の場合、１２本のフレーム部材２により直方体形状に構成している。
【００３４】
そしてこの実施の形態では、フレーム構造基体１が着底状態において上側となる対向するフレーム部材２ａ，２ｂにガイドレール部３ｘを形成し、このガイドレール部３ｘにより、対向するフレーム部材２ａ，２ｂ間に架設した移動フレーム部材４を駆動するＸ方向直動機構を構成している。
【００３５】
移動フレーム部材４は、両端に設けた移動支持部材５をガイドレール部３に沿って適宜の移動支持機構により移動支持する構成としており、フレーム部材２ｂに沿って配置したモータ５ｘ駆動の送りネジ６ｘと、この送りネジ６ｘに螺合するナット部材７ｘによりＸ方向に駆動される構成である。更に、移動フレーム部材４にもガイドレール部３ｙが形成されており、このガイドレール部３ｙに音響計測部８の支持部材９が駆動可能に構成され、これにより支持部材９を移動フレーム部材４に沿って駆動するＹ方向直動機構が構成されており、これらにより、支持部材９のＸＹ駆動機構が構成されている。このＹ方向直動機構においては、移動フレーム部材４に沿ってモータ５ｙ駆動の送りネジ６ｙが設けられており、この送りネジ６ｙに螺合するナット部材７ｙが支持部材９に設けられている。
【００３６】
符号８は音響計測部を示すもので、この音響計測部８には上側に間隔を隔てた一対の支持杆体１０を突設しており、前記支持部材９は、この支持杆体１０を上下動、即ち、Ｚ方向に移動可能に支持する構成としている。この際、支持部材９は、支持杆体１０の固定位置を調節可能な半固定式の構成としたり、モータ駆動の適宜機構により、音響計測部８の位置をＺ方向で変更可能とする構成とすることができる。
【００３７】
この実施の形態において、音響計測部８は、ビームフォーミングにより前記Ｚ方向の下向きに鋭指向性を形成するものとしている。即ち、この実施の形態では、図４に示すように、音響計測部８は、中心側の送波器１１の周囲に８個の受波器１２を円環状に配置してビームフォーミングを行う構成としている。
【００３８】
この実施の形態では、このようなビームフォーミングを行うことにより、図５〜図８に示すように、ビーム幅を全周に渡って平均的に小さくすることができ、良好な鋭指向性を得ることができる。
【００３９】
この他、音響計測部は、適宜のビームフォーミングにより、又は音響レンズを装着する等により、鋭指向性を形成することができる。
【００４０】
以上の構成の本発明に係る情報収集装置は、前記フレーム構造基体１を重量により対象とする海や湖沼等の水底面に着底させた状態において、音響計測部８をＸＹ駆動機構によりＸＹ方向に走査して音響による水底面下の堆積層の情報を収集する。
【００４１】
このようにして情報を収集する際、音響計測部８を支持するフレーム構造基体１は、重量により水底面に着底させていることと、フレーム構造であるため水流や波の影響を受け難く、安定した静止状態が維持されるため、音響計測部８はフレーム構造基体１による外乱の影響は全く受けない。
【００４２】
情報収集装置の全体としての重量は、重すぎると、水底面下の堆積層内に沈みすぎてしまう可能性があるため、これを考慮して重量を設定する必要がある。
【００４３】
本発明の実施の形態においては、フレーム構造基体１は、アルミニウム製のフレーム部材２により構成すると共に、ＸＹ駆動機構の一方側の直動機構の構成要素であるガイドレール部３ｘをフレーム部材２に形成していて、必要最小限のフレーム構造によりフレーム構造基体及びＸＹ駆動機構を構成しているので、強固なフレーム構造体を比較的軽量に構成することができ、従って、水底面に着底させた際に、水底面下の堆積層内に沈みすぎてしまうことを防止することができる。
【００４４】
こうして本発明では、音響計測部８がフレーム構造基体１による外乱の影響を受けないこと、そして、ＸＹ駆動機構自体は非常に高い位置決め精度を容易に得ることができることから、音響計測部８のＸＹ方向の走査を非常に高精度で行うことができ、更にＺ方向の下向きの鋭指向性と相俟って、水底面下の堆積層内の音響によるデータを非常に高精度、高分解能で収集することができる。
【００４５】
上述した通り、音響計測部８は、Ｚ方向の位置を、予め設定した位置に固定する構成としても良いが、Ｚ方向に移動可能とすれば、その位置を移動して計測を行うことができ、適切な位置を計測時に設定するようにすることもできる。
【００４６】
以上のように本発明の情報収集装置により収集したデータは、収集装置自体に構成した画像表示手段により表示したり、又は別装置として構成した画像表示装置等にデータを入力して表示することができる。
【００４７】
図９は、本発明に係るＸＹ駆動機構と音響計測部の制御構成の実施の形態を示すもので、この構成では、ノートパソコンをプラットホームとする制御プログラムにより、ＸＹ駆動機構を構成するＸ方向直動機構とＹ方向直動機構の夫々のモータ（ステージモータ（Ｘ）、（Ｙ））をモータドライバを介して制御すると共に、データ収集プログラムを介して、１つの送波器と８つの受波器を用いてデータを、データ収集手段を介してノートパソコンに収集する。そして、ノートパソコンに収集したデータは、別装置の画像出力装置に入力して表示する。即ち、この実施の形態では、ＸＹ駆動機構と音響計測部８を制御すると共に、音響計測部８により音響反射信号のデータを収集する制御手段は、ノートパソコンにより構成している。
【００４８】
図１０は、本発明に係る方法及び装置により収集した水底面下の堆積層のデータを、画像出力装置のディスプレイに表示する処理の一例を示す流れ図である。即ち、この処理は、上述した画像構築手段に相当する。
【００４９】
まず、ステップＳ１はデータの読込処理であり、この処理は、上述したように音響計測部６をＸＹ方向に移動させながら、送波器９から発した音波（例えば、矩形パルス）の反射信号を８つの受波器１０により受波し、こうして収集し、収録された所定の範囲の音波の反射信号レベルのデータを読み込む処理である。
【００５０】
実施例においては、位置決め精度±0.1mmのＸＹ駆動機構により、80 (X方向)×85 (Y方向) ｃｍ2の範囲を走査し、6,966(＝81×86)の位置の夫々において、８つの受波器１０の夫々の音響反射信号のレベルのデータを収集し、収録している。即ち、この実施例において収録されたデータは、6,966個のファイルから成り、夫々のファイルに位置データと、８つの受波器１０に対応する8chの音響反射信号のレベルのデータが含まれている。
【００５１】
次いでステップＳ２では、８つの受波器１０に対応する8chの音響反射信号を用いてビームフォーミング処理を行って、鋭指向性化を行う。
【００５２】
次いでステップＳ３では、ヒルベルト変換に基づく包絡線検波処理を行う。この処理は超音波診断装置等で音波を画像化する際の一般的な処理であり、この処理により、振幅情報のみを抽出する。この処理を設けることにより、表示される３次元画像の視認性を良好とすることができる。
【００５３】
次いでステップＳ４では、水底検出処理を行う。この処理は、水中と低泥の境目（水底表面）を検知するもので、具体的には、反射信号レベルがある閾値を初めて越えたところとして認識する。
【００５４】
次いでステップＳ５では、閾値処理を行う。この処理は、ある閾値以上の信号成分のみを抽出することにより、微弱なノイズ成分を除去する、一般的な処理である。
【００５５】
次いでステップＳ６では、吸収減衰量補正処理を行う。この処理は、水底面下の堆積層内における音波の吸収減衰量α［dB/m］として、簡易線形モデルを想定した下記式を用いて求める。
Ａd ＝ Ａi・exp(−αd)
（但し、Ａdは水底表面から距離dの位置における信号レベル，Ａiは水底表面での信号レベルである。）
【００５６】
次いでステップＳ７では、Ｃモード画像生成処理を行う。この処理は、ステップＳ６で吸収減衰量補正を行った水底表面からの距離ｄ（深さ）毎に、上記所定範囲の信号レベルを纏めて、各距離ｄ毎の２次元データを構築して、これを記憶する処理であり、この２次元データは、各距離ｄ毎の２次元断層画像に対応する。実施例では、２次元断層画像は1,600枚構築している。
【００５７】
次いでステップＳ８では、３次元画像生成処理を行う。この処理は、上記ステップ６にて得られた各距離ｄ毎の２次元データを、距離方向に並べ、即ち積み上げて３次元画像のデータを生成し、これを記憶するものである。
【００５８】
尚、以上の処理の流れにおいて、ステップＳ５とステップＳ６は、逆にすることもできる。
【００５９】
次いでステップＳ９では、アルファブレンド処理を行う。この処理は、３次元画像出力における描画処理として一般に行われている処理であり、３次元画像データの各画素毎に、透過度に対応する計数α（アルファ値）を設定することにより、遠近感のある３次元画像を構築するものである。
【００６０】
上述したとおり、アルファブレンド処理自体は一般的であるが、本発明に係る実施の形態では、３次元画像の視点から遠くにあるものから描画処理を行い、より近くの画素の描画において、それまでに描画されていた画素との重なりが生じた際には、下記の式に従って、描画する近くの画素の輝度（ｌout）を設定する処理を行っている。
ｌout ＝ ｌfront・α＋ｌnow・(１−α)
（但し、ｌoutは今描画する近くの画素の輝度、ｌfrontは今描画しようとしている近くの画素の元の輝度、ｌnowは既に描画されている画素の輝度である。）
【００６１】
以上の処理を行うことで、ステップＳ１０においては、水底の所定範囲、例えば、実施例では80 (X方向)×85 (Y方向) ｃｍ2の範囲の堆積層の３次元音響データを高精度(例えば精度0.1mm)、高分解能で、３次元的に美しく、そして必要情報を直感的に把握可能なように描画することができる。堆積層の情報をディスプレイに表示した３次元画像の一例を図１１に示している。
【００６２】
尚、ステップＳ１０の画像出力処理では、ステップＳ８にて得られた３次元画像のデータに基づいて、画像出力装置（ディスプレイ，プリンタ等）に出力する際、画像出力は、３次元画像のデータに基づいて、３次元画像出力、水平方向・垂直方向等の２次元断面画像出力等、適宜に行うことができる。
【産業上の利用可能性】
【００６３】
本発明は以上の通りであるので、以下に示すような各種の利用を行うことができ、産業上の利用可能性が大である。
１．堆積泥の厚み計測…これによって柱状コアリングを簡素化することができる。
２．農業ＩＴ技術と組み合わせた根菜類の管理
３．堆積泥に覆われた沈没船の精密な形状計測
４．堆積泥に覆われた兵器等の精密な形状計測
５．埋設された海底ケーブルの精密な形状計測
６．堆積泥中に生息する水産生物の資源量調査、資源管理、生態把握
【符号の説明】
【００６４】
１                  フレーム構造基体
２（２ａ，２ｂ）    フレーム部材
３ｘ，３ｙ        ガイドレール部
４                  移動フレーム部材
５ｘ，５ｙ          モータ
６ｘ，６ｙ          送りネジ
７ｘ，７ｙ          ナット部材
８                  音響計測部
９                  支持部材
１０                支持杆体
１１                送波器
１２                受波器
【図１】
0006337311.tif 000002
【図２】
0006337311.tif 000003
【図３】
0006337311.tif 000004
【図４】
0006337311.tif 000005
【図５】
0006337311.tif 000006
【図６】
0006337311.tif 000007
【図７】
0006337311.tif 000008
【図８】
0006337311.tif 000009
【図９】
0006337311.tif 000010
【図１０】
0006337311.tif 000011
【図１１】
0006337311.tif 000012